(57)【要約】【課題】作業性及び操作性に優れ、また汎用性に優れた安価な無線検針システムを提供する。【解決手段】ハンディターミナル１０と、このハンディターミナル１０との間でブルートゥース規格に従った無線で通信する無線親機２０と、この無線親機２０との間で特定小電力無線で通信する無線子機３１と、この無線子機３１に接続され、水道の使用量を計量する水道メータ３０とを備え、ハンディターミナル１０は、水道メータ３０で計量することにより得られた計量データを無線子機３１及び無線親機２０を経由して取得することにより検針を行う。【選択図】    図１
2004348377.tif 000002
【特許請求の範囲】
【請求項１】
携帯可能な情報処理端末と、
前記情報処理端末との間で無線で通信する無線親機と、
前記無線親機との間で特定小電力無線で通信する無線子機と、
前記無線子機に接続され、物理量を計量する計量器とを備え、
前記情報処理端末は、前記計量器で計量された物理量を前記無線子機及び前記無線親機を経由して取得することにより検針を行うことを特徴とする無線検針システム。
【請求項２】
前記無線親機は、携帯可能であることを特徴とする請求項１記載の無線検針システム。
【請求項３】
前記情報処理端末と前記無線親機とは、ブルートゥース規格に従った無線で通信することを特徴とする請求項１又は請求項２記載の無線検針システム。
【請求項４】
前記情報処理端末と前記無線親機との間で行われるブルートゥース規格に従った無線通信は、暗号化して行われることを特徴とする請求項３記載の無線検針システム。
【発明の詳細な説明】
【０００１】
【発明の属する技術分野】
本発明は、水道、電気、ガス等のメータから計量値を無線により読み取って検針を行う無線検針システムに関する。
【０００２】
【従来の技術】
従来、水道、電気、ガス等の使用量を計量するメータとハンディターミナルとの間で無線通信を行うことにより検針を行う無線検針システムが知られている（例えば特許文献１参照）。この無線検針システムでは、ハンディターミナル自体が無線機能を備えているが、ハンディターミナル側の無線機能とメータ側の無線機能とを整合させる必要から、ハンディターミナルの無線機能を独立した無線機で構成し、この無線機とメータとを同一のメーカーで製造する場合が多い。
【０００３】
このような無線検針システムの一例を図１１に示す。この無線検針システムは、無線親機５１がインタフェースケーブル５２によって接続されたハンディターミナル（ＨＴ）５０と、無線子機３１がケーブル３２によって接続された電子式の水道メータ３０とから構成されている。
【０００４】
無線親機５１は、屋外の軒下等に設置される場合もあるしハンディターミナル５０及びインタフェースケーブル５２と共に検針員が携行する場合もある。また、水道メータ３０、無線子機３１及びケーブル３２は、各家庭のメーターボックス内に収容される。無線親機５１と無線子機３１との間は、特定小電力無線で接続される。
【０００５】
このように構成される無線検針システムを用いて検針を行う場合、検針員は、まず、ハンディターミナル５０と無線子機５１とをインタフェースケーブル５２で接続した後、ハンディターミナル５０の図示しない操作部を操作することにより検針開始を指示する。これにより、ハンディターミナル５０は、インタフェースケーブル５２を介して無線親機５１に起動指令を送る。無線親機５１は、この起動指令を電波に変換して無線子機３１に送信する。無線子機３１は、無線親機５１からの電波を受信して起動指令を再生し、ケーブル３２を介して水道メータ３０に送る。
【０００６】
水道メータ３０に含まれる図示しない制御回路は、常時、使用水量を計量して積算し、計量データとして記憶している。水道メータ３０の制御回路は、無線子機３１からケーブル３２を介して起動指令を受け取ると、記憶している計量データをケーブル３２を介して無線子機３１に送る。無線子機３１は、受け取った計量データを電波に変換して無線親機５１に送信する。
【０００７】
無線親機５１は、無線子機３１からの電波を受信して計量データを再生し、インタフェースケーブル５２を介してハンディターミナル５０に送る。ハンディターミナル５０は、受け取った計量データを図示しないメモリに格納すると共に表示部に表示する。また、ハンディターミナル５０は、計量データを必要に応じてプリンタ（図示しない）に出力する。これにより、検針員による水道メータ３０の検針が完了する。
【０００８】
【特許文献１】
特開平０４−６１４３２号公報
【０００９】
【発明が解決しようとする課題】
上述したように、従来の無線検針システムでは、ハンディターミナルと無線親機との間がインタフェースケーブルで接続されている。そのため、検針員は、検針を開始するに先立って、ハンディターミナルと無線親機との間をインタフェースケーブルで接続するという面倒な作業が必要であり、操作性に劣るという問題がある。
【００１０】
また、ハンディターミナルと無線親機との間がインタフェースケーブルで接続されているため、ハンディターミナルと無線親機とを構造的に抱き合わせしなければならない。
【００１１】
更に、ハンディターミナルのメーカーが無線親機のメーカーと異なる場合には、ハンディターミナルのインタフェース仕様が無線親機のインタフェース仕様と合致しない場合があり、汎用性に劣るという問題がある。このインタフェース仕様には、ハンディターミナルと無線親機との間の伝送手順というソフトウェア的な仕様の他に、例えばインタフェース仕様として標準のＲＳ２３２Ｃを使用するか、メーカー独自のインタフェース仕様を使用するか、その場合の無線親機への給電はハンディターミナルから行うか無線親機自体が電源を備えるかといった電気的な仕様が含まれる。
【００１２】
その結果、ハンディターミナル及び無線親機の各メーカーは、インタフェース仕様が一致するハンディターミナルと無線親機との組み合わせを提供するために多種類の無線親機を用意しなければならず、開発コスト及び製造コストが嵩むという問題がある。
【００１３】
本発明は、上述した問題を解消するためになされたものであり、その課題は、作業性及び操作性に優れ、また汎用性に優れた安価な無線検針システムを提供することにある。
【００１４】
【課題を解決するための手段】
請求項１の発明は、上記課題を達成するために、携帯可能な情報処理端末と、前記情報処理端末との間で無線で通信する無線親機と、前記無線親機との間で特定小電力無線で通信する無線子機と、前記無線子機に接続され、物理量を計量する計量器とを備え、前記情報処理端末は、前記計量器で計量された物理量を前記無線子機及び前記無線親機を経由して取得することにより検針を行うことを特徴とする。
【００１５】
請求項１の発明によれば、携帯可能な情報処理端末と無線親機との間は無線で通信接続されるので、検針員は、検針を開始するに先立って情報処理端末と無線親機との間をインタフェースケーブルで接続するという面倒な作業は不要であり、操作性が向上する。また、情報処理端末と無線親機とを構造的に抱き合わせする必要がない。
【００１６】
また、請求項２の発明は、前記無線親機は、携帯可能であることを特徴とする。請求項２の発明によれば、情報処理端末及び無線親機の各々を別個に携行することができるので、これらの取り扱いが便利になる。
【００１７】
また、請求項３の発明は、情報処理端末と無線親機とはブルートゥース規格に従った無線で通信するように構成したものである。請求項３の発明によれば、ブルートゥース規格は統一された規格であるので、情報処理端末のメーカーと無線親機のメーカーとが異なる場合であっても、これら両者のインタフェースが不一致になることはないので、汎用性が向上する。その結果、各メーカは、インタフェース仕様を一致させるために多種類の情報処理端末又は無線親機を用意する必要がないので、開発コスト及び製造コストが嵩むのを抑止できる。
【００１８】
また、請求項４の発明は、情報処理端末と無線親機との間で行われるブルートゥース規格に従った無線通信を暗号化して行うように構成したものである。請求項４の発明によれば、ブルートゥース規格に従った無線通信を行うことにより情報処理端末の汎用性が向上するに伴って、セキュリティが低下するのを防止できる。
【００１９】
【発明の実施の形態】
以下、本発明の実施の形態を図面を参照しながら詳細に説明する。なお、以下では、従来の技術の欄で説明した構成部分と同一の構成部分には、従来の技術の欄で使用した符号と同一の符号を付して説明する。
【００２０】
また、以下では、本発明の携帯可能な情報処理端末としてハンディターミナルが使用される場合について説明するが、携帯可能な情報処理端末としては、ハンディターミナルに限らず、ＰＤＡ、ノートブックタイプのパーソナルコンピュータ、その他の情報処理端末を用いることができる。また、本発明の計量器として電子式の水道メータが使用される場合について説明するが、計量器としては、水道メータに限らず、電子式のガスメータ、電力量計、その他の計量器を用いることができる。
【００２１】
図１は本発明の実施の形態に係る無線検針システムの構成を示す図である。この無線検針システムは、ブルートゥース（ＢＴ）通信部１１を備えたハンディターミナル（ＨＴ）１０、ブルートゥース（ＢＴ）通信部２１を備えた無線親機２０、及び無線子機３１がケーブル３２によって接続された電子式の水道メータ３０から構成されている。
【００２２】
まず、ハンディターミナル１０について説明する。ハンディターミナル１０は、本発明の携帯可能な情報処理端末に対応し、水道メータ３０から収集した計量データを処理する。図２はハンディターミナル１０の構成を示すブロック図である。ハンディターミナル１０は、ブルートゥース通信部１１、ＣＰＵ１２、メモリ１３、操作部１４、表示部１５及び電源１６から構成されている。
【００２３】
ブルートゥース通信部１１は、無線親機２０のブルートゥース通信部２１との間でブルートゥース（Ｂｌｕｅｔｏｏｔｈ）規格に従った無線通信を行う。ブルートゥースは、携帯情報機器向けの無線通信技術であって、１００ｍ程度の範囲に存在する複数の機器間で、２．４５ＧＨｚ帯の電波を利用し、１Ｍｂｐｓの速度で通信を行なう技術である。ブルートゥース通信部１１は、ＣＰＵ１２から送られてくるデータをブルートゥース規格に従った電波に変換して無線親機２０に送信すると共に、無線親機２０からブルートゥース規格に従って送られてくる電波を受信してデータを再生し、ＣＰＵ１２に送る。なお、ブルートゥースについての詳細は後に説明する。
【００２４】
ＣＰＵ１２は、ハンディターミナル１０の全体を制御する。ＣＰＵ１２は、例えば、無線親機２０との間のブルートゥースによる通信の制御を行う。メモリ１３は、ＣＰＵ１２が処理に使用する各種データを記憶する。また、メモリ１３は、水道メータ３０から収集した計量データを記憶する。
【００２５】
操作部１４は、例えばキーボードから構成されており、検針員がハンディターミナル１０に各種指示、例えば検針の開始を指示するために使用される。操作部１４の操作により発生した信号は、ＣＰＵ１２に送られる。
【００２６】
表示部１５は、例えばＬＣＤから構成されており、ＣＰＵ１２から送られてくるデータに従って、各種メッセージを表示する。表示部１５は、例えば、水道メータ３０から得られた計量データを表示させるために使用される。電源１６は、例えば電池から構成されており、ハンディターミナル１０の各部に電源を供給する。
【００２７】
次に、無線親機２０について説明する。携帯可能な無線親機２０は、ハンディターミナル１０と水道メータ３０との間の無線による通信を中継する。図３は、無線親機２０の構成を示すブロック図である。無線親機２０は、ブルートゥース通信部２１、ＣＰＵ２２、メモリ２３、無線通信部２４及び電源２５から構成されている。
【００２８】
ブルートゥース通信部２１は、ハンディターミナル１０のブルートゥース通信部１１との間でブルートゥース規格に従った無線通信を行う。ブルートゥース通信部２１は、ＣＰＵ２２から送られてくるデータをブルートゥース規格に従った電波に変換してハンディターミナル１０に送信すると共に、ハンディターミナル１０からブルートゥース規格に従った電波で送られてくるデータを再生してＣＰＵ２２に送る。
【００２９】
ＣＰＵ２２は、無線親機２０の全体を制御する。ＣＰＵ２２は、例えば、ハンディターミナル１０との間のブルートゥースによる通信の制御、及び水道メータ３０との間の無線通信の制御を行う。メモリ２３は、ＣＰＵ２２が処理に使用する各種データを記憶する。また、メモリ２３は、水道メータ３０から収集した計量データ及びハンディターミナル１０から受け取ったデータを一時的に記憶する。
【００３０】
無線通信部２４は、特定小電力無線局として機能する無線局であり、同じく特定小電力無線局として機能する無線子機３１との間で無線通信を行う。ここで、特定小電力無線局とは、電波法第４条の３に該当する無線局を言う。無線通信部２４は、具体的には、ＣＰＵ２２から送られてくるデータを特定小電力無線の規格に従った電波に変換して無線子機３１に送信すると共に、無線子機３１から特定小電力無線の規格に従って送られてくる電波を受信してデータを再生し、ＣＰＵ２２に送る。電源２５は、例えば電池から構成されており、無線親機２０の各部に電源を供給する。
【００３１】
次に、無線子機３１がケーブル３２によって接続された電子式の水道メータ３０について説明する。水道メータ３０、無線子機３１及びケーブル３２は、各家庭のメーターボックス内に収容される。
【００３２】
無線子機３１は、水道メータ３０の通信制御部３３（後述する）からケーブル３２を介して送られてくるデータを特定小電力無線の規格に従った電波に変換して無線親機２１に送信すると共に、無線親機２１から特定小電力無線の規格に従って送られてくる電波を受信してデータを再生し、通信制御部３３に送る。
【００３３】
水道メータ３０は、その流路に羽根車を備えた構造を有し、羽根車３６の回転を検出して水道の使用量を計量する。図４は水道メータ３０の電気的な構成を示すブロック図である。水道メータ３０は、通信制御部３３、ＣＰＵ３４、メモリ３５、羽根車３６、検出部３７、表示部３８及び電源３９から構成されている。
【００３４】
通信制御部３３は、無線子機３１からケーブル３２を介して送られてくるデータを受け取ってＣＰＵ３４に送ると共に、ＣＰＵ３４から送られてくるデータをケーブル３２を介して無線子機３１に送る。
【００３５】
ＣＰＵ３４は、水道メータ３０の全体を制御する。ＣＰＵ３４は、水道の使用量を計量して積算することにより計量データを算出する。また、ＣＰＵ３４は、て無線親機２１との間で無線子機３１を介して行われる無線通信の制御を行う。メモリ３５は、ＣＰＵ３４が処理に使用する各種データを記憶すると共に、ＣＰＵ３４が算出した計量データを記憶する。
【００３６】
羽根車３６は、水道メータ３０の流路（図示しない）に配置され、この流路を流れる水の量に応じた速度で回転する。検出部３７は、羽根車３６の回転数を検出し、ＣＰＵ３４に送る。ＣＰＵ３４は、検出部３７から送られてくる回転数を表す信号に基づいて水道の積算使用量を算出し、計量データとしてメモリ３５に記憶する。
【００３７】
表示部３８は、例えばＬＣＤから構成されており、ＣＰＵ３４から送られてくる計量データを表示する。ユーザは、表示部３８を見ることにより水道の積算使用量を知ることができる。電源３９は、例えば電池から構成されており、水道メータ３０の各部に電源を供給する。
【００３８】
次に、このように構成された本発明の実施の形態に係る無線検針システムの動作を図５に示したシーケンス図を参照しながら説明する。
【００３９】
検針員は、水道メータ３０の検針を行うときは、ハンディターミナル１０の操作部１４を操作して検針開始の指令を入力する。ハンディターミナル１０のＣＰＵ１２は、操作部１４から入力された検針開始の指令に応答して、起動指令を生成し、ブルートゥース通信部１１に送る。ブルートゥース通信部１１は、この起動指令をブルートゥース規格に従った電波に変換して無線親機２０のブルートゥース通信部２１に送信する（ステップＳ１）。
【００４０】
無線親機２０のブルートゥース通信部２１は、ハンディターミナル１０のブルートゥース通信部１１からブルートゥース規格に従った電波で送られてくるデータを再生してＣＰＵ２２に送る。ＣＰＵ２２は、ブルートゥース通信部２１から受け取ったデータが起動指令であることを判断すると、肯定応答（ＡＣＫ）を表す信号を生成してブルートゥース通信部２１に送ると共に、起動指令を生成して無線通信部２４に送る。
【００４１】
ＣＰＵ２２からＡＣＫを表す信号を受け取ったブルートゥース通信部２１は、ブルートゥース規格に従った電波に変換してハンディターミナル１０のブルートゥース通信部１１に送信する（ステップＳ２）。ブルートゥース通信部１１は、無線親機２０のブルートゥース通信部２１から電波で送られてくるデータを再生してＣＰＵ１２に送る。ＣＰＵ１２は、ブルートゥース通信部１１から受け取ったデータがＡＣＫであることを判断すると、無線親機２０が起動指令を正常に受信したことを認識し、待機状態に入る。なお、ステップＳ２のＡＣＫの送信は省略することができる。
【００４２】
また、ＣＰＵ２２から起動指令を受け取った無線通信部２４は、起動指令を特定小電力無線の規格に従った電波に変換して水道メータ３０に接続されている無線子機３１に送信する（ステップＳ３）。無線子機３１は、無線親機２０の無線通信部２４から電波で送られてくるデータを再生し、ケーブル３２及び通信制御部３３を経由してＣＰＵ３４に送る。ＣＰＵ３４は、通信制御部３３から受け取ったデータが起動指令であることを判断すると、肯定応答（ＡＣＫ）を表す信号を生成し、通信制御部３３及びケーブル３２を経由して無線子機３１に送る。無線子機３１は、受け取ったＡＣＫを表す信号を特定小電力無線の規格に従った電波に変換して無線親機２１の無線通信部２４に送信する（ステップＳ４）。
【００４３】
無線親機２１の無線通信部２４は、無線子機３１から電波で送られてくるデータを再生してＣＰＵ２２に送る。ＣＰＵ２２は、受け取ったデータがＡＣＫであることを判断すると、ＡＣＫを表す信号を生成してブルートゥース通信部２１に送る。ブルートゥース通信部２１は、受け取ったＡＣＫを表す信号をブルートゥース規格に従った電波に変換してハンディターミナル１０のブルートゥース通信部１１に送信する（ステップＳ５）。ブルートゥース通信部１１は、無線親機２０のブルートゥース通信部２１から電波で送られてくるデータを再生してＣＰＵ１２に送る。ＣＰＵ１２は、ブルートゥース通信部１１から受け取ったデータがＡＣＫであることを判断すると、水道メータ３０が起動指令を正常に受信したことを認識する。
【００４４】
次いで、ハンディターミナル１０は、計量データ要求を無線親機２０に送信する（ステップＳ６）。この計量データ要求を送信する動作は、起動指令を無線親機２０に送信するステップＳ１の動作と同じである。計量データ要求を受信した無線親機２０は、その計量データ要求を水道メータ３０に送信する（ステップＳ７）。この計量データ要求を送信する動作は、起動指令を水道メータ３０に送信するステップＳ３の動作と同じである。
【００４５】
計量データ要求を受信した水道メータ３０は、メモリ３５に記憶している計量データを無線親機２０に送信する（ステップＳ８）。この計量データを送信する動作は、ＡＣＫを無線親機２０に送信するステップＳ４の動作と同じである。計量データを受信した無線親機２０は、その計量データをハンディターミナル１０に送信する（ステップＳ９）。この計量データを送信する動作は、ＡＣＫをハンディターミナル１０に送信するステップＳ５の動作と同じである。
【００４６】
以下、計量データ要求の送信と計量データの受信とが必要回数だけ繰り返される。そして、検針に必要な全ての計量データの受信が完了すると、ハンディターミナル１０は、終了指令を無線親機２０に送信する（ステップＳ１０）。終了指令を送信する動作は、起動指令を無線親機２０に送信するステップＳ１の動作と同じである。終了指令を受信した無線親機２０は、その終了指令を水道メータ３０に送信する（ステップＳ１１）。終了指令を送信する動作は、起動指令を水道メータ３０に送信するステップＳ３の動作と同じである。
【００４７】
終了指令を受信した水道メータ３０は、終了を表すＥＮＤ信号を無線親機２０に送信する（ステップＳ１２）。ＥＮＤ信号を送信する動作は、ＡＣＫを無線親機２０に送信するステップＳ４の動作と同じである。ＥＮＤ信号を受信した無線親機２０は、そのＥＮＤ信号をハンディターミナル１０に送信する（ステップＳ１３）。ＥＮＤ信号を送信する動作は、ＡＣＫをハンディターミナル１０に送信するステップＳ５の動作と同じである。
【００４８】
ＥＮＤ信号を受信したハンディターミナル１０は、水道メータ３０の検針が終了した旨を表示部１５に表示する。これにより、検針員による水道メータ３０の検針が終了する。
【００４９】
以上説明したように、実施の形態に係る無線検針システムによれば、ハンディターミナル１０と無線親機２０との間がブルートゥース規格に従った無線で通信するので、検針員は、従来のように検針を開始するに先立って、ハンディターミナル１０と無線親機２０との間をインタフェースケーブルで接続するという面倒な作業を行う必要がない。従って、操作性が向上し検診作業を簡単且つ迅速に行うことができる。
【００５０】
また、ハンディターミナル１０と無線親機２０との間がブルートゥース規格に従った無線で通信するので、ハンディターミナル１０と無線親機２０とを構造的に抱き合わせする必要がない。また、ハンディターミナル１０及び無線親機２０の各々を別個に携行することができ、これらの取り扱いが便利になる。
【００５１】
更に、ハンディターミナル１０と無線親機２０との間の無線通信に、統一された規格であるブルートゥース規格が使用されているので、ハンディターミナル１０のメーカーと無線親機２０のメーカーとが異なる場合であっても、これら両者のインタフェースが不一致になることはないので、汎用性が向上する。その結果、各メーカは、インタフェース仕様を一致させるために多種類のハンディターミナル又は無線親機を用意する必要がないので、開発コスト及び製造コストが嵩むのを抑止できる。
【００５２】
（ブルートゥースの詳細説明）
ブルートゥース通信部１１，２１は、図６に示すブルートゥースモジュール１１ａを有し、このブルートゥースモジュール１１ａは、ブルートゥース規格に従ってデータの変復調を行う２．４ＧＨｚブルートゥースラジオ１１ｂ、ベースバンド１１ｃ、ＣＰＵからなるリンクマネージャ１１ｄから構成されている。
【００５３】
また、図７に示すように、ハンディターミナル１０がマスタとなり、無線親機２０がスレーブとなり、ハンディターミナル１０のブルートゥース通信部１１が奇数スロット毎にパケットデータを無線親機２０に送信し、無線親機２０のブルートゥース通信部２１が偶数スロット毎にパケットデータをハンディターミナル１０に送信している。
【００５４】
また、ブルートゥース通信部１１，２１では、図８に示すブルートゥースプロトコルスタックが採用されている。このブルートゥースプロトコルスタックは、ＲＦ、べスバンド、リンクマネージャ、ＵＳＢ、ＲＳ２３２Ｃ、ＰＣＭＣＩＡ、Ｌ２ＣＡＰ、ＲＦＣＯＭ、ＴＣＰ／ＩＰ、ＯＢＥＸ、Ａｕｄｉｏ、ＩｒＭＣ、Ｆｉｌｅ  Ｔｒａｎｓｆｅｒ、ＷＡＰ、アプリケーションプログラムのレイヤ構造からなる。
【００５５】
ＲＦは２．４ＧＨｚブルートゥースラジオ１１ｂに対応し、ベースバンドは、誤り訂正、パケット管理等の基本的なリンクである。リンクマネージャは接続状態管理、消費電力の管理を行う。Ｌ２ＣＡＰ（Ｌｏｇｉｃａｌ  Ｌｉｎｋ  Ｃｏｎｔｒｏｌ  ａｎｄ  Ａｄａｐｔａｔｉｏｎ  Ｐｒｏｔｏｃｏｌ）は、パケットの並べ替えや新しい機器の発見を行う。ＯＢＥＸ（Ｏｂｊｅｃｔ  Ｅｘｃｈａｎｇｅ  Ｐｒｏｔｏｃｏｌ）は、データ交換を行う。Ａｕｄｉｏは、音声データ処理用プロトコルである。ＩｒＭＣは、データ同期を行う。
【００５６】
なお、上述した実施の形態では、ハンディターミナル１０のブルートゥース通信部１１と無線親機２０のブルートゥース通信部２１との間では暗号化されたデータを送受するように構成できる。この場合、ハンディターミナル１０のＣＰＵブルートゥース通信部１１とＣＰＵ１２との間に暗号化／復号化部を設けると共に、無線親機２０のブルートゥース通信部２１とＣＰＵ２２との間に暗号化／復号化部を設ける。
【００５７】
図９にブルートゥースによるデータの暗号化を示す。図９を用いてデータの暗号化を説明する。まず、ハンディターミナル１０で例えば１２８ビットの乱数を発生し、この乱数を無線親機２０に送信する。また、ハンディターミナル１０で発生した乱数とリンクキーとパラメータとを用いて所定の演算を行い、暗号キーを作成する。作成された暗号キーとデータとを乗算して、得られた暗号化データを無線親機２０に送信する。
【００５８】
一方、無線親機２０では、ハンディターミナル１０から受信した乱数とリンクキーとパラメータとを用いて所定の演算を行い、暗号キーを作成する。作成された暗号キーとハンディターミナルからの暗号化データとを乗算すると、データが復号される。
【００５９】
このように、ブルートゥース規格に従った無線通信を行うことによりハンディターミナル１０の汎用性が向上することに伴ってセキュリティが低下するのを防止できる。
【００６０】
また、上述した実施の形態では、ハンディターミナル１０と無線親機２０とをブルートゥース規格に従った無線で通信するように構成したが、図６に示すように、ハンディターミナル１０に対し、更に、ブルートゥース（ＢＴ）通信部６１を備えたプリンタ６０をブルートゥース規格に従った無線で通信するように構成できる。この場合、ブルートゥース通信部６１の機能は、上述した無線親機２０のブルートゥース通信部２１の機能と同じである。この構成によれば、ハンディターミナル１０にプリンタを装備する必要がなく、コンパクトなハンディターミナル１０を提供できる。
【００６１】
更に、上述した実施の形態では、無線親機２０に対して、１台の水道メータ３０が特定小電力無線により通信される場合を説明したが、複数台の水道メータを接続するように構成できる。また、図６に示すように、無線親機２０に対して、例えば水道メータ３０及びガスメータ４０といった種類の異なる複数の計量器を接続するように構成することもできる。
【００６２】
【発明の効果】
以上説明したように、本発明によれば、携帯可能な情報処理端末と無線親機とを無線で通信したので、作業性及び操作性に優れ、また、情報処理端末と無線親機との間を統一された規格であるブルートゥース規格に従った無線で通信することにより汎用性に優れた安価な無線検針システムを提供できる。
【図面の簡単な説明】
【図１】本発明の実施の形態に係る無線検針システムの構成を示すブロック図である。
【図２】図１に示したハンディターミナルの詳細な構成を示すブロック図である。
【図３】図１に示した無線親機の詳細な構成を示すブロック図である。
【図４】図１に示した水道メータの詳細な構成を示すブロック図である。
【図５】本発明の実施の形態に係る無線検針システムの動作を説明するためのシーケンス図である。
【図６】ブルートゥースモジュールの構成図である。
【図７】ブルートゥースによるハンディターミナルと無線親機とのパケットデータの送受信タイミングを示す図である。
【図８】ブルートゥースプロトコルスタックを示す図である。
【図９】ブルートゥースによるデータの暗号化を示す図である。
【図１０】本発明の実施の形態に係る無線検針システムの構成の変形例を示すブロック図である。
【図１１】従来の無線検針システムを説明するための図である。
【符号の説明】
１０  ハンディターミナル
１１、２１、６１  ブルートゥース通信部
１２、２２、３４  ＣＰＵ
１３、２３、３５  メモリ
１４  操作部
１５、３８  表示部
１６、２５、３９  電源
２０  無線親機
２４  無線通信部
３０  水道メータ
３１  無線子機
３２  ケーブル
３３  通信制御部
３６  羽根車
３７  検出部
４０  ガスメータ
６０  プリンタ
【図１】
2004348377.tif 000003
【図２】
2004348377.tif 000004
【図３】
2004348377.tif 000005
【図４】
2004348377.tif 000006
【図５】
2004348377.tif 000007
【図６】
2004348377.tif 000008
【図７】
2004348377.tif 000009
【図８】
2004348377.tif 000010
【図９】
2004348377.tif 000011
【図１０】
2004348377.tif 000012
【図１１】
2004348377.tif 000013